(57)【要約】【課題】缶に装着された筒状外装体を動かすことによってモアレが多様に変化して視認され得て、動きのある斬新なデザインを付与することのできる、モアレが現出される金属缶を提供する。【解決手段】この発明に係るモアレ模様が現出される金属缶１は、金属缶本体２の胴部１０の外周面に光透過性フィルムからなる筒状外装体３が周方向Ｓに回転自在に装着されてなり、前記金属缶本体２の胴部１０の外周面及び前記筒状外装体３に、光学的な干渉縞を生じるように表面処理が施されていることを特徴とする。【選択図】図１
2007261590.tif 000002
【特許請求の範囲】
【請求項１】
金属缶本体の胴部の外周面に光透過性フィルムからなる筒状外装体が周方向に回転自在に装着されてなり、
前記金属缶本体の胴部の外周面及び前記筒状外装体に、光学的な干渉縞を生じるように表面処理が施されていることを特徴とするモアレが現出される金属缶。
【請求項２】
金属缶本体の胴部の外周面に光透過性フィルムからなる筒状外装体が周方向に回転自在に装着されてなり、
前記金属缶本体の胴部の外周面に線画または点画が印刷され、前記筒状外装体に線画または点画が印刷され、前記金属缶本体の胴部の線画の軸線方向または点画の配列方向と、前記筒状外装体の線画の軸線方向または点画の配列方向とが相違するように配置されていることを特徴とするモアレが現出される金属缶。
【請求項３】
前記筒状外装体の内周面に前記線画または点画が印刷されている請求項２に記載のモアレが現出される金属缶。
【請求項４】
前記筒状外装体は、前記金属缶本体に対して該缶本体の軸線方向にも移動し得るものとなされている請求項１〜３のいずれか１項に記載のモアレが現出される金属缶。
【請求項５】
前記金属缶本体の胴部に形成された装着用凹陥部の外周面に前記筒状外装体が周方向に回転自在に装着されている請求項１〜３のいずれか１項に記載のモアレが現出される金属缶。
【請求項６】
前記筒状外装体の軸線方向の長さは、前記装着用凹陥部の軸線方向の長さよりも短く設定されている請求項５に記載のモアレが現出される金属缶。
【発明の詳細な説明】
【技術分野】
【０００１】
この発明は、缶に装着された筒状外装体を動かすことによりモアレが多様に変化して動きのある斬新なデザインが付与される金属缶に関する。
【０００２】
なお、この明細書及び特許請求の範囲において、「モアレ」の語は、狭義の干渉縞の意味のほか、金属缶を見た時に金属缶本体の胴部にあらわされた画像と筒状外装体にあらわされた画像とが相互に干渉した態様で複合化してあらわれる模様をも含む意味で用いている。
【背景技術】
【０００３】
従来、飲料用のアルミニウム缶やスチール缶等の金属缶の胴部には、各種のデザイン画や文字等が印刷されている。ところで、近年、モアレ模様を現出させることのできる装飾シートとして種々のものが提案されているが（例えば特許文献１参照）、このようなモアレ模様現出の技術を金属缶に適用したものとしては、金属缶の胴部に、規則的な網点の印刷パターンを有する複数の印刷層が互いの網点角度をずらした状態で重ね印刷されてなるものが公知である（特許文献２参照）。この金属缶では、金属缶の胴部に印刷される第１印刷層の印刷画素を、胴部の色と同系色で反射光の分布が胴部の表面とは異なる反射特性を有するインキにより印刷しているから、見る角度によってモアレが現出したり消失したりするような変化のある装飾効果が得られる。
【特許文献１】特開平６−３５０９号公報
【特許文献２】特開２００５−１２５５２７号公報（請求項１、段落００１０、段落００１６等）
【発明の開示】
【発明が解決しようとする課題】
【０００４】
しかしながら、上記特許文献２に記載の技術では、見る角度によってモアレが現出したり消失したりする変化はあるものの、同じ角度からはいつも同一のモアレ模様を呈するものであるので、やや変化に乏しく興趣性に劣る面があって十分な視覚効果が得られるものではなかった。
【０００５】
この発明は、かかる技術的背景に鑑みてなされたものであって、缶に装着された筒状外装体を動かすことによってモアレが多様に変化して視認され得て動きのある斬新なデザインを付与することのできる、モアレが現出される金属缶を提供することを目的とする。
【課題を解決するための手段】
【０００６】
前記目的を達成するために、本発明は以下の手段を提供する。
【０００７】
［１］金属缶本体の胴部の外周面に光透過性フィルムからなる筒状外装体が周方向に回転自在に装着されてなり、前記金属缶本体の胴部の外周面及び前記筒状外装体に、光学的な干渉縞を生じるように表面処理が施されていることを特徴とするモアレが現出される金属缶。
【０００８】
［２］金属缶本体の胴部の外周面に光透過性フィルムからなる筒状外装体が周方向に回転自在に装着されてなり、前記金属缶本体の胴部の外周面に線画または点画が印刷され、前記筒状外装体に線画または点画が印刷され、前記金属缶本体の胴部の線画の軸線方向または点画の配列方向と、前記筒状外装体の線画の軸線方向または点画の配列方向とが相違するように配置されていることを特徴とするモアレが現出される金属缶。
【０００９】
［３］前記筒状外装体の内周面に前記線画または点画が印刷されている前項２に記載のモアレが現出される金属缶。
【００１０】
［４］前記筒状外装体は、前記金属缶本体に対して該缶本体の軸線方向にも移動し得るものとなされている前項１〜３のいずれか１項に記載のモアレが現出される金属缶。
【００１１】
［５］前記金属缶本体の胴部に形成された装着用凹陥部の外周面に前記筒状外装体が周方向に回転自在に装着されている前項１〜３のいずれか１項に記載のモアレが現出される金属缶。
【００１２】
［６］前記筒状外装体の軸線方向の長さは、前記装着用凹陥部の軸線方向の長さよりも短く設定されている前項５に記載のモアレが現出される金属缶。
【発明の効果】
【００１３】
［１］の発明では、金属缶本体の胴部の外周面及び筒状外装体に光学的な干渉縞を生じるように表面処理が施されているから、光学的なモアレ模様が視認されるものとなる。更に、筒状外装体は、金属缶本体の胴部の外周面に周方向に回転自在に装着されているので、この金属缶本体の胴部に装着された筒状外装体を周方向に手で回動させることができ、こうして筒状外装体を周方向に動かしていくとモアレが多様に変化して視認されるので、即ち金属缶本体の同一箇所においてモアレ模様が多様に変化して視認されるので、動きのある斬新なデザインを付与することができて興趣性を顕著に増大させることができる。
【００１４】
［２］の発明では、金属缶本体の胴部の外周面に線画または点画が印刷され、筒状外装体に線画または点画が印刷され、金属缶本体の胴部の線画の軸線方向または点画の配列方向と、筒状外装体の線画の軸線方向または点画の配列方向とが相違するように配置されているから、光学的なモアレ模様が視認されるものとなる。更に、筒状外装体は、金属缶本体の胴部の外周面に周方向に回転自在に装着されているので、この缶本体の胴部に装着された筒状外装体を周方向に手で回動させることができ、こうして筒状外装体を周方向に動かしていくとモアレが多様に変化して視認されるので、即ち金属缶本体の同一箇所においてモアレ模様が多様に変化して視認されるので、動きのある斬新なデザインを付与することができて興趣性を顕著に増大させることができる。
【００１５】
［３］の発明では、筒状外装体の内周面に線画または点画が印刷されているから、線画または点画が手等との接触によって擦れ取れてしまうことを効果的に防止できる。
【００１６】
［４］の発明では、筒状外装体は、金属缶本体に対して該缶本体の軸線方向にも移動可能であり、該軸線方向に筒状外装体を移動させることでもモアレ模様を多様に変化させることができるから、モアレ模様の変化のバリエーションがさらに増大し、これによりモアレ変化による興趣性をさらに高めることができる。
【００１７】
［５］の発明では、金属缶本体の胴部の装着用凹陥部内に筒状外装体が装着されているから、筒状外装体の金属缶本体からの離脱を防止することができる。
【００１８】
［６］の発明では、筒状外装体の軸線方向の長さは、装着用凹陥部の軸線方向の長さよりも短く設定されているから、装着された筒状外装体は、金属缶本体に対して該缶本体の軸線方向にも移動可能であり、該軸線方向に筒状外装体を移動させることでもモアレ模様を多様に変化させることができて、モアレ模様の変化のバリエーションがさらに増大し、これによりモアレ変化による興趣性をさらに高めることができる。
【発明を実施するための最良の形態】
【００１９】
この発明に係るモアレが現出される金属缶（１）の一実施形態（第１実施形態）を図１に示す。この金属缶（１）は、金属缶本体（２）と、光透過性フィルムからなる筒状外装体（３）とを備えている。前記金属缶本体（２）は、下側に一体成形された底部（１２）を有した円筒状の胴部（１０）の上側の開口端部に、蓋体（１１）が液密状態に取り付けられたもの（２ピース缶）からなる。前記金属缶本体（２）の胴部（１０）の上下方向（軸線方向）の中間部領域に全周にわたって装着用凹陥部（１３）が形成されている。しかして、前記金属缶本体（２）の胴部（１０）の装着用凹陥部（１３）の外周面に前記筒状外装体（３）が周方向（Ｓ）に回転自在に装着されている。即ち、前記筒状外装体（３）は、前記金属缶本体（２）の胴部（１０）の装着用凹陥部（１３）内に嵌まり込んで周方向（Ｓ）に回転自在に装着されている。
【００２０】
この第１実施形態では、前記筒状外装体（３）の軸線方向の長さ（上下方向の長さ）は、前記金属缶本体（２）の胴部（１０）の装着用凹陥部（１３）の軸線方向の長さ（上下方向の長さ）よりも短く設定されており（図１参照）、これにより前記筒状外装体（３）は、前記金属缶本体（２）に対して該缶本体の軸線方向（Ｋ）にもスライド移動できるものとなされている。即ち、前記筒状外装体（３）は、金属缶本体（２）の周方向（Ｓ）に移動させることができるのみならず、金属缶本体（２）の軸線方向（Ｋ）にもスライド移動させることができる。
【００２１】
また、前記筒状外装体（３）の外側の表面は、前記金属缶本体（２）の胴部（１０）における径方向の外側に最も突出した部位の表面よりも径方向内方側に位置している（図１参照）。前記胴部（１０）における径方向の外側に最も突出した部位は、装着用凹陥部（１３）を挟んで周方向に延ばされた上下一対の突条部（２１）（２１）である。
【００２２】
前記金属缶本体（２）の胴部（１０）の外周面及び前記筒状外装体（３）には、光学的な干渉縞が生じるように表面処理が施されている。このような干渉縞を生じる表面処理として、本第１実施形態では次のような印刷が施されている。即ち、図２（イ）に示すように前記金属缶本体（２）の胴部（１０）の外周面に多数のドット（点）からなる網点画が印刷されると共に、図２（ロ）に示すように前記筒状外装体（３）の内周面に多数のドット（点）からなる網点画が印刷されている。前記金属缶本体（２）の胴部（１０）の点画の配列方向（Ｆ1）と、前記筒状外装体（３）の点画の配列方向（Ｆ2）とは相違するように配置されている。
【００２３】
しかして、前記金属缶（１）では、金属缶本体（２）の胴部（１０）の点画の配列方向（Ｆ1）と、筒状外装体（３）の点画の配列方向（Ｆ2）とが相違するように配置されているから、モアレ模様が視認されるものとなる。また、前記筒状外装体（３）は、金属缶本体（２）の胴部（１０）の外周面に周方向（Ｓ）に回転自在に装着されているので、この金属缶本体（２）の胴部（１０）に装着された筒状外装体（３）を手で周方向に回転させることができる。このようにして筒状外装体（３）を周方向に回転させていくと、モアレ模様が多様に変化して視認されるので、即ち金属缶本体（２）の同一箇所においてモアレ模様が多様に変化して視認されるので、動きのあるこれまでにない斬新なデザインを付与することができて興趣性を顕著に増大させることができる。
【００２４】
また、前記第１実施形態では、金属缶本体（２）の胴部（１０）に装着された筒状外装体（３）を手で金属缶本体（２）の軸線方向（Ｋ）にもスライド移動させることができ、このように筒状外装体（３）を軸線方向（Ｋ）にスライド移動させる操作を行うことでも、モアレ模様が多様に変化して視認される。更に、筒状外装体（３）を斜め方向にも移動させることができるものであり、このように筒状外装体（３）を斜め方向に移動させる操作を行うことでも、モアレ模様を多様に変化させることができる。このように、第１実施形態の金属缶（１）では、筒状外装体（３）を軸線方向（Ｋ）や斜め方向にも移動させ得る構成であることにより、モアレ模様の変化のバリエーションがさらに増大するから、モアレ変化による興趣性をさらに向上させることができる。
【００２５】
また、前記第１実施形態では、前記筒状外装体（３）は、前記金属缶本体（２）の胴部（１０）の装着用凹陥部（１３）内に嵌まり込んで装着されているので、この装着された筒状外装体（３）は金属缶本体（２）から離脱することはない（図１参照）。
【００２６】
また、前記第１実施形態では、前記筒状外装体（３）の外側の表面は、前記金属缶本体（２）の胴部（１０）における径方向の外側に最も突出した部位である突条部（２１）の表面よりも径方向内方側に位置しているので、例えば複数個の金属缶（１）を箱体等に充填収納した状態で運搬するような場合において、隣り合う金属缶の筒状外装体同士が接触して筒状外装体（３）に傷が付くようなこと等を十分に防止することができる。
【００２７】
前記第１実施形態の金属缶（１）で現出されるモアレ模様の一例を図３に示す（角度αは３０°に設定されている）。また、図２に示す構成において、角度αを３°、５°、８°、１５°、４５°に設定した場合のモアレ模様の一例をそれぞれ図４、５、６、７、８に示す。これらの図から、角度αの設定を変えると全く異なるモアレ模様が得られることがわかる。
【００２８】
次に、この発明に係るモアレが現出される金属缶（１）の他の実施形態（第２実施形態）を図９に示す。この金属缶（１）は、金属缶本体（２）と、光透過性フィルムからなる筒状外装体（３）とを備えている。前記金属缶本体（２）は、金属製ボトル缶（１４）の頂部の口金部にキャップ（１５）が被着されたものからなり、この金属缶本体（２）の胴部（１０）の外周面に前記筒状外装体（３）が周方向（Ｓ）に回転自在に装着されている。図９に示すように、前記筒状外装体（３）の下縁部は、前記金属製ボトル缶（１４）の下側縮径部（１６）の一部を覆う状態に装着される一方、前記筒状外装体（３）の上縁部は、前記金属製ボトル缶（１４）の上側縮径部（１７）の一部を覆う状態に装着されているので、前記金属缶本体（２）の胴部（１０）に装着された筒状外装体（３）は、該金属缶本体（２）から離脱することはない。
【００２９】
前記金属缶本体（２）の胴部（１０）の外周面及び前記筒状外装体（３）には、光学的な干渉縞が生じるように表面処理が施されている。このような干渉縞を生じる表面処理として、本第２実施形態では次のような印刷が施されている。即ち、図１０（イ）に示すように前記金属缶本体（２）の胴部（１０）の外周面に複数の線からなる線画が印刷されると共に、図１０（ロ）に示すように前記筒状外装体（３）の内周面に複数の線からなる線画が印刷されている。前記金属缶本体（２）の胴部（１０）の線画の軸線方向（Ｅ1）と、前記筒状外装体（３）の線画の軸線方向（Ｅ2）とは相違するように配置されている。
【００３０】
しかして、前記金属缶（１）では、金属缶本体（２）の胴部（１０）の線画の軸線方向（Ｅ1）と、筒状外装体（３）の線画の軸線方向（Ｅ2）とが相違するように配置されているから、モアレ模様が視認されるものとなる。また、前記筒状外装体（３）は、金属缶本体（２）の胴部（１０）の外周面に周方向（Ｓ）に回転自在に装着されているので、この金属缶本体（２）の胴部（１０）に装着された筒状外装体（３）を手で周方向に回転させることができる。このようにして筒状外装体（３）を周方向に回転させていくと、モアレ模様が多様に変化して視認されるので、動きのあるこれまでにない斬新なデザインを付与することができて興趣性を顕著に増大させることができる。この第２実施形態の金属缶（１）で現出されるモアレ模様の一例を図１１に示す。
【００３１】
なお、前記実施形態では、筒状外装体（３）の内周面に点画または線画が印刷されているが、特にこのような形態に限定されるものではなく、例えば筒状外装体（３）の外周面に点画または線画が印刷されていても良いし、或いは積層構成とすることにより筒状外装体（３）の内部に点画または線画が印刷されていても良い。
【００３２】
また、前記第１実施形態では、金属缶本体（２）の胴部（１０）に点画が印刷され、筒状外装体（３）に点画が印刷された構成を採用し、前記第２実施形態では、金属缶本体（２）の胴部（１０）に線画が印刷され、筒状外装体（３）に線画が印刷された構成を採用しているが、特にこのような組み合わせに限定されるものではなく、例えば金属缶本体（２）の胴部（１０）に点画が印刷され、筒状外装体（３）に線画が印刷された構成を採用しても良いし、或いは金属缶本体（２）の胴部（１０）に線画が印刷され、筒状外装体（３）に点画が印刷された構成を採用しても良い。この時、点画の配列方向と、線画の軸線方向とが相違するように配置する。
【００３３】
この発明において、前記金属缶本体（２）の胴部（１０）の線画の軸線方向と、前記筒状外装体（３）の線画の軸線方向とがなす角度（鋭角）（α）は、０度を超えて３０度以下の範囲に設定されるのが好ましい。このような角度範囲に設定することで、モアレ模様を十分に現出させることができる。前記角度（α）は線画の全ての領域において一定であるのが好ましいが、変化するように設定されていても良い。
【００３４】
前記金属缶本体（２）の胴部（１０）に印刷される線画または点画の間隔（ｍ1）は、前記金属缶本体（２）の胴部（１０）の外径（直径）の０．５〜２０％に設定するのが好ましく、さらに２〜１０％の範囲に設定するのがより好ましい。この間隔（ｍ1）は線画または点画の全ての領域において一定であるのが好ましいが、変化するように設定されていても良い。
【００３５】
また、前記金属缶本体（２）の胴部（１０）における配列方向に隣り合う点画の間隔（ｍ2）は、前記金属缶本体（２）の胴部（１０）の外径（直径）の０．５〜２０％に設定するのが好ましく、さらに２〜１０％の範囲に設定するのがより好ましい。この間隔（ｍ2）は点画の全ての領域において一定であるのが好ましいが、変化するように設定されていても良い。
【００３６】
前記金属缶本体（２）の胴部（１０）に印刷される点画の大きさ（最大径）（ｍ3）は、前記点画の間隔（ｍ1）の１０〜２００％に設定するのが好ましく、さらに３０〜１５０％の範囲に設定するのがより好ましい。この点画の大きさ（ｍ3）は点画の全ての領域において一定であるのが好ましいが、変化するように設定されていても良い。
【００３７】
前記金属缶本体（２）の胴部（１０）に印刷される線画の幅（ｍ3）は、前記線画の間隔（ｍ1）の１０〜９０％に設定するのが好ましく、さらに２５〜７５％の範囲に設定するのがより好ましい。この線画の幅（ｍ3）は線画の全ての領域において一定であるのが好ましいが、変化するように設定されていても良い。
【００３８】
前記金属缶本体（２）の胴部（１０）に印刷される点画の形状は、特に限定されず、例えば円形状、楕円形状、多角形状等の他、点状絵であっても良い。
【００３９】
前記筒状外装体（３）に印刷される線画または点画の間隔（ｎ1）は、前記金属缶本体（２）の胴部（１０）の外径（直径）の０．５〜２０％に設定するのが好ましく、さらに２〜１０％の範囲に設定するのがより好ましい。この間隔（ｎ1）は線画または点画の全ての領域において一定であるのが好ましいが、変化するように設定されていても良い。
【００４０】
また、前記筒状外装体（３）における配列方向に隣り合う点画の間隔（ｎ2）は、前記金属缶本体（２）の胴部（１０）の外径（直径）の０．５〜２０％に設定するのが好ましく、さらに２〜１０％の範囲に設定するのがより好ましい。この間隔（ｎ2）は点画の全ての領域において一定であるのが好ましいが、変化するように設定されていても良い。
【００４１】
前記筒状外装体（３）に印刷される点画の大きさ（最大径）（ｎ3）は、前記点画の間隔（ｎ1）の１０〜２００％に設定するのが好ましく、さらに３０〜１５０％の範囲に設定するのがより好ましい。この点画の大きさ（ｎ3）は点画の全ての領域において一定であるのが好ましいが、変化するように設定されていても良い。
【００４２】
前記筒状外装体（３）に印刷される線画の幅（ｎ3）は、前記線画の間隔（ｎ1）の１０〜９０％に設定するのが好ましく、さらに２５〜７５％の範囲に設定するのがより好ましい。この線画の幅（ｎ3）は線画の全ての領域において一定であるのが好ましいが、変化するように設定されていても良い。
【００４３】
前記筒状外装体（３）に印刷される点画の形状は、特に限定されず、例えば円形状、楕円形状、多角形状等の他、点状絵であっても良い。
【００４４】
中でも、前記筒状外装体（３）に印刷される線画または点画のパターン（ｎ1、ｎ2、ｎ3）は、前記金属缶本体（２）の胴部（１０）に印刷される線画または点画のパターン（ｍ1、ｍ2、ｍ3）と同一に設定されるのが好ましい。但し、前記角度αは相違するように配置する。
【００４５】
また、前記筒状外装体（３）に印刷される線画または点画の色は、前記金属缶本体（２）の胴部（１０）に印刷される線画または点画の色と同系色であるのが好ましく、さらには同一色であるのが特に好ましい。
【００４６】
また、前記筒状外装体（３）に印刷される線画または点画は、光透過性、非光透過性のいずれの状態であっても良い。即ち、前記筒状外装体（３）に印刷される線画または点画を通して缶本体の胴部（１０）の印刷が見える状態であっても良いし、或いは見えない状態であっても良く、特に限定されない。
【００４７】
また、前記筒状外装体（３）自体の色は、前記金属缶本体（２）の胴部（１０）に印刷される線画または点画の色と異なる色であるのが好ましく、この場合にはモアレ模様が十分に現出されるものとなる。中でも、前記筒状外装体（３）自体の色は、前記金属缶本体（２）の胴部（１０）に印刷される線画または点画が目立って視認され得るような色であるのがより好ましい。
【００４８】
前記線画または点画の印刷方法としては、特に限定されるものではないが、例えばスクリーン印刷、凸版印刷、オフ輪印刷、平版印刷等が挙げられる。
【００４９】
前記金属缶本体（２）には、前記線画または点画以外に、必要に応じて、各種のデザイン画、文字、数字等が印刷されていても良い。また、前記筒状外装体（３）にも、前記線画または点画以外に、必要に応じて、各種のデザイン画、文字、数字等が印刷されていても良い。
【００５０】
なお、前記実施形態では、光学的な干渉縞（モアレ）が生じるように金属缶本体（２）の胴部（１０）の外周面及び筒状外装体（３）に線画または点画を形成しているが、特にこのような構成に限定されるものではなく、前記金属缶本体（２）の胴部（１０）の外周面及び前記筒状外装体（３）に光学的な干渉縞を生じるように表面処理が施されていれば良い。このような表面処理としては、例えば凹凸加工等が挙げられる。
【００５１】
この発明において、前記筒状外装体（３）は光透過性フィルムで形成されるが、この光透過性フィルムの材料としては、特に限定されるものではないが、例えばポリエチレン、ポリプロピレン、ポリ塩化ビニル等の合成樹脂などが挙げられる。中でも、前記筒状外装体（３）は厚さ１０〜５００μｍの合成樹脂製の光透過性フィルムからなるのが好ましい。１０μｍ以上であることで十分なフィルム強度を確保できると共に５００μｍ以下であることで材料コストを抑制できる。
【００５２】
また、前記金属缶本体（２）を構成する金属材料としては、特に限定されるものではないが、例えばアルミニウム（アルミニウム合金を含む）、スチール等が挙げられる。
【００５３】
この発明に係るモアレが現出される金属缶（１）の用途としては、特に限定されるものではないが、例えば飲料用金属缶、缶詰用金属缶、菓子用金属缶等が挙げられる。
【００５４】
この発明に係るモアレが現出される金属缶（１）は、上記実施形態のものに特に限定されるものではなく、請求の範囲内であれば、その精神を逸脱するものでない限りいかなる設計的変更をも許容するものである。
【実施例】
【００５５】
次に、この発明の具体的実施例について説明するが、本発明はこれら実施例のものに特に限定されるものではない。
【００５６】
＜実施例１＞
胴部（１０）の外周面に図２（イ）に示す網点画（黒色）が印刷されたアルミニウム製の金属缶本体（２）の該胴部（１０）の装着用凹陥部（１３）の外周面に、図２（ロ）に示す網点画（黒色）が印刷された厚さ１００μｍのポリエチレン製の光透過性フィルムからなる筒状外装体（３）を周方向（Ｓ）に回転自在な状態に装着することによって、図１に示す金属缶（１）を得た。点画の形状は円形状であり、点画は千鳥状に配置した（図２参照）。また、金属缶本体（２）は、胴部（１０）の外径（直径）が６６ｍｍのものを用いた。また、角度α：３０度、ｍ1：４．４ｍｍ、ｍ2：８．８ｍｍ、ｍ3：３ｍｍ、ｎ1：４．４ｍｍ、ｎ2：８．８ｍｍ、ｎ3：３ｍｍに設定した。
【００５７】
得られた金属缶（１）の筒状外装体（３）を手で周方向（Ｓ）に回転させるとモアレ模様が多様に変化して視認された。また、筒状外装体（３）を缶本体の軸線方向（Ｋ）にスライド移動させてもモアレ模様が多様に変化して視認された。このようにモアレ模様の変化のバリエーションが大きく興趣性に優れていた。
【００５８】
＜実施例２＞
胴部（１０）の外周面に図１０（イ）に示す線画（黒色）が印刷されてなる金属缶本体（２）の該胴部（１０）の外周面に、図１０（ロ）に示す線画（黒色）が印刷された厚さ１００μｍのポリエチレン製の光透過性フィルムからなる筒状外装体（３）を周方向（Ｓ）に回転自在な状態に装着することによって、図９に示す金属缶（１）を得た。金属缶本体（２）は、胴部（胴部の最大径部分）の外径（直径）が６６ｍｍのものを用いた。また、角度α：３０度、ｍ1：１．０ｍｍ、ｍ3：０．５ｍｍ、ｎ1：１．０ｍｍ、ｎ3：０．５ｍｍに設定した。
【００５９】
得られた金属缶（１）の筒状外装体（３）を手で周方向（Ｓ）に回転させるとモアレ模様が多様に変化して視認された。
【図面の簡単な説明】
【００６０】
【図１】この発明に係るモアレが現出される金属缶の一実施形態をその一部を切り欠いて示す斜視図である。
【図２】（イ）は図１の金属缶を構成する金属缶本体の胴部を平面状に展開して示す平面図、（ロ）は図１の金属缶を構成する筒状外装体を平面状に展開して示す平面図である。
【図３】図１の金属缶（角度α：３０°）で現出されるモアレ模様の一例を示す平面図である。
【図４】角度αを３°に設定した場合のモアレ模様の一例を示す平面図である。
【図５】角度αを５°に設定した場合のモアレ模様の一例を示す平面図である。
【図６】角度αを８°に設定した場合のモアレ模様の一例を示す平面図である。
【図７】角度αを１５°に設定した場合のモアレ模様の一例を示す平面図である。
【図８】角度αを４５°に設定した場合のモアレ模様の一例を示す平面図である。
【図９】この発明に係るモアレが現出される金属缶の他の実施形態をその一部を切り欠いて示す側面図である。
【図１０】（イ）は図９の金属缶を構成する金属缶本体の胴部を平面状に展開して示す拡大平面図、（ロ）は図９の金属缶を構成する筒状外装体を平面状に展開して示す拡大平面図である。
【図１１】図９の金属缶で現出されるモアレ模様の一例を示す平面図である。
【符号の説明】
【００６１】
１…金属缶
２…金属缶本体
３…筒状外装体
１０…胴部
１３…装着用凹陥部
α…角度
Ｅ…線画の軸線方向
Ｆ…点画の配列方向
Ｋ…缶本体の軸線方向
Ｓ…周方向
【図１】
2007261590.tif 000003
【図２】
2007261590.tif 000004
【図３】
2007261590.tif 000005
【図４】
2007261590.tif 000006
【図５】
2007261590.tif 000007
【図６】
2007261590.tif 000008
【図７】
2007261590.tif 000009
【図８】
2007261590.tif 000010
【図９】
2007261590.tif 000011
【図１０】
2007261590.tif 000012
【図１１】
2007261590.tif 000013